(57)【要約】  パスワード保護機能は、ユーザに自分のデジタル記録装置で記録したオーディオ及び／またはビデオ信号を含む信号にパスワードを割り当てさせ、古いデジタル再生装置及び将来のデジタル再生装置をそれぞれバックワードコンパチブル及びフォワードコンパチブルとすることができる。一実施形態によると、デジタル記録再生を実行する方法は、ユーザにデジタル記憶媒体上にデジタル信号を記録させる段階と、ユーザからパスワードを受け取る段階と、デジタル記憶媒体上の少なくとも１つの予約されていないデータフィールドにパスワードを格納する段階と、を有する。少なくとも１つの予約されていないデータフィールドが記録されたデジタル信号の第１の表示シーケンスに含まれ、記録されたデジタル信号を再生する前にパスワードの入力を要求する。
2007516552.tif 000002
【特許請求の範囲】
【請求項１】
デジタル記録再生を実行する方法であって、
ユーザにデジタル記憶媒体上にデジタル信号を記録させる段階と、
前記ユーザからパスワードを受け取る段階と、
前記デジタル記憶媒体上の少なくとも１つの予約されていないデータフィールドであって前記記録されたデジタル信号の第１の表示（ｐｒｅｓｅｎｔａｔｉｏｎ）シーケンスにふくまれたデータフィールド内に前記パスワードを格納する段階と、
前記記録されたデジタル信号の再生前に前記パスワードを入力すべきことを要求する段階と、を有することを特徴とする方法。
【請求項２】
請求項１に記載の方法であって、前記デジタル記憶媒体はＤＶＤであることを特徴とする方法。
【請求項３】
請求項１に記載の方法であって、
前記デジタル記憶媒体上パスワードメニュースクリーンを表すメニューデータを格納するする段階をさらに有することを特徴とする方法。
【請求項４】
請求項３に記載の方法であって、前記メニューデータは前記第１の表示（ｐｒｅｓｅｎｔａｔｉｏｎ）シーケンスとは異なる第２の表示シーケンスに格納されることを特徴とする方法。
【請求項５】
請求項４に記載の方法であって、前記第１と第２の表示シーケンスは異なるプログラムチェインを表すことを特徴とする方法。
【請求項６】
請求項３に記載の方法であって、
前記パスワードメニュースクリーンの表示をイネーブルする少なくとも１つのコマンドを前記デジタル記憶媒体上に格納する段階をさらに有することを特徴とする方法。
【請求項７】
請求項６に記載の方法であって、前記パスワードメニュースクリーンは前記記録されたデジタル信号を再生しようとするユーザの試みに応じて表示されることを特徴とする方法。
【請求項８】
デジタル記録再生装置であって、
前記デジタル記録再生装置をデジタル記憶媒体とインターフェイスするインターフェイス手段と、
ユーザに前記デジタル記憶媒体上にデジタル信号を記録させ、前記ユーザからパスワードを受け取り、前記デジタル記憶媒体上の少なくとも１つの予約されていないデータフィールドであって前記記録されたデジタル信号の第１の表示シーケンスに含まれるデータフィールドに前記パスワードを格納する制御手段と、を有することを特徴とする装置。
【請求項９】
請求項８に記載のデジタル記録再生装置であって、前記デジタル記憶媒体はＤＶＤであることを特徴とする装置。
【請求項１０】
請求項８に記載のデジタル記録再生装置であって、前記制御手段は、パスワードメニュースクリーンを表すメニューデータを前記デジタル記憶媒体上にさらに格納することを特徴とする装置。
【請求項１１】
請求項１０に記載のデジタル記録再生装置であって、前記メニューデータは前記第１の表示シーケンスとは異なる第２の表示シーケンスに格納されることを特徴とする装置。
【請求項１２】
請求項１１に記載のデジタル記録再生装置であって、前記第１と第２の表示シーケンスは異なるプログラムチェインを表すことを特徴とする装置。
【請求項１３】
請求項１０に記載のデジタル記録再生装置であって、前記制御手段は前記パスワードメニュースクリーンの表示をイネーブルする少なくとも１つのコマンドを前記デジタル記憶媒体上に格納することを特徴とする装置。
【請求項１４】
請求項１３に記載のデジタル記録再生装置であって、前記制御手段は、ユーザが前記記録されたデジタル信号の再生を試みるのに応じて、前記パスワードメニュースクリーンの表示をイネーブルすることを特徴とする装置。
【請求項１５】
請求項１４に記載のデジタル記録再生装置であって、前記制御手段は、前記記録されたデジタル信号を再生する前に前記パスワードメニュースクリーンに応じて前記パスワードを入力するようさらに要求することを特徴とする装置。
【請求項１６】
デジタル記憶媒体であって、
複数の予約されたデータフィールドと、
複数の予約されていないデータフィールドと、ユーザが記録したデジタル信号の第１の表示シーケンスと、を有し、
前記予約されていないデータフィールドの少なくとも１つに前記記録されたデジタル信号のユーザにより割り当てられたパスワードが格納され、前記第１の表示シーケンスは前記予約されていないデータフィールドの前記少なくとも１つを含み、前記記録されたデジタル信号を再生する前に前記ユーザにより割り当てられたパスワードの入力が要求されることを特徴とする媒体。
【請求項１７】
請求項１６に記載のデジタル記憶媒体であって、前記デジタル記憶媒体はＤＶＤであることを特徴とする媒体。
【請求項１８】
請求項１６に記載のデジタル記憶媒体であって、パスワードメニュースクリーンの第２の表示シーケンスをさらに有することを特徴とする媒体。
【請求項１９】
請求項１８に記載のデジタル記憶媒体であって、前記第１と第２の表示シーケンスは異なるプログラムチェインを表すことを特徴とする媒体。
【請求項２０】
請求項１８に記載のデジタル記憶媒体であって、前記パスワードメニュースクリーンは、前記記録されたデジタル信号の再生の試みに応じて、前記パスワードの入力を促し、表示されることを特徴とする媒体。
【発明の詳細な説明】
【発明の詳細な説明】
【０００１】
関連出願との相互参照
この出願は、２００３年１２月８日に米国特許商標庁に出願し、出願番号第６０／５２７，９４６号を付された仮出願に基づく優先権及びすべての利益を主張する。
発明の背景
【技術分野】
【０００２】
本発明は、デジタル記録及び再生の技術分野に関し、特に、ユーザが自分のデジタル記録装置で記録したオーディオ及び／またはビデオ信号を含む信号にパスワードを割り当てられるようにし、その記録した信号を再生する前にそのパスワードのユーザ入力を要求するパスワード保護機能に関する。また本発明は、古いデジタル再生装置及び将来のデジタル再生装置にバックワード及びフォワードの機能を提供することができる。
【背景技術】
【０００３】
記録可能デジタルバーサタイルディスク（ＤＶＤ）プレーヤ等のデジタル記録再生装置は、オーディオ信号及び／またはビデオ信号を含むデジタル信号を記録再生することができる。現状では、記録、消去、及び再記録ができるＤＶＤのフォーマット標準には異なるものがいくつかある。ＤＶＤ＋ＲＷ／ＤＶＤ＋ＶＲは、ユーザがＤＶＤ上にデジタルコンテントを記録、消去、及び再記録することができるフォーマット標準例である。
【０００４】
現在、ユーザがＤＶＤ上にデジタルコンテントを記録、消去、及び再記録することができるフォーマット標準（例えば、ＤＶＤ＋ＲＷ／ＤＶＤ＋ＶＲ）は、記録へのユーザアクセスを制限する手段を提供していない。一方、ユーザ記録がまったくできないフォーマット標準（例えば、ＤＶＤ−ＲＯＭ／ＤＶＤ−ＶＩＤＥＯ）は、ペアレント管理機能を有しており、ＤＶＤ制作者（ｄｉｓｔｒｉｂｕｔｏｒ）が単一のＤＶＤ上に１つの映画の複数のバージョンを記録して（ｒｅｌｅａｓｅ）、好ましくなさそうなコンテントを再生しないようにＤＶＤプレーヤにパスワードを設定して所望のレーティングがついたバージョンをロックすることができる。しかし、このペアレント管理機能では、ユーザが自分の記録可能ＤＶＤプレーヤを用いて記録した記録物にパスワード保護を提供することができない。
【０００５】
ユーザが自分のＤＶＤレコーダを用いて記録した記録物にパスワード保護をかけられる技術が、米国特許出願の公開公報第２００３／０１２６５９６号に開示されている。特に、この公報には、パスワードデータを記憶及び読み出しするためにＤＶＤ上のいろいろな予約データフィールドを使用するパスワード保護を提供する技術が開示されている。しかし、このタイプのパスワード保護技術は、特定のメーカの記録可能ＤＶＤプレーヤに独自なものであるという点で、不十分である。すなわち、このタイプのパスワード保護技術は、ＤＶＤ上の一定の予約データフィールドに（から）パスワードを記録（読み出し）することができる独自アルゴリズムを使用する必要がある。適用可能な独自アルゴリズムが無ければ、そのパスワード保護技術を効果的に実施することはできない。従って、上記タイプのパスワード保護技術は、バックワードコンパチブル（ｂａｃｋｗａｒｄ  ｃｏｍｐａｔｉｂｌｅ）でなく（すなわち、古いプレーヤでは機能しない）、フォワードコンパチブル（ｆｏｒｗａｒｄ  ｃｏｍｐａｔｉｂｌｅ）でもない（すなわち、将来のプレーヤ及び／または他のメーカのプレーヤでは機能しない）。
【０００６】
従って、上記の問題を解決し、ユーザが自分のデジタル記録装置（例えば、記録可能ＤＶＤプレーヤ）を用いて記録した記録物をパスワード保護することを可能とし、バックワードコンパチブル及びフォワードコンパチブルとすることもできるパスワード保護機能が必要である。本発明は上記その他の問題を解決する。
【特許文献１】米国特許公開公報第２００３／０１２６５９６号
【発明の開示】
【課題を解決するための手段】
【０００７】
本発明の一態様により、デジタル記録再生を実行する方法が開示される。一実施形態例によると、本方法は、ユーザにデジタル記憶媒体上にデジタル信号を記録させる段階と、前記ユーザからパスワードを受け取る段階と、前記デジタル記憶媒体上の少なくとも１つの予約されていないデータフィールドであって前記記録されたデジタル信号の第１の表示（ｐｒｅｓｅｎｔａｔｉｏｎ）シーケンスにふくまれたデータフィールド内に前記パスワードを格納する段階と、前記記録されたデジタル信号の再生前に前記パスワードを入力すべきことを要求する段階と、を有する。
【０００８】
本発明の他の態様により、デジタル記録再生装置が開示される。一実施形態例によると、本デジタル記録再生装置は、前記デジタル記録再生装置をデジタル記憶媒体とインターフェイスするインターフェイス手段を有する。制御手段は、ユーザに前記デジタル記憶媒体上にデジタル信号を記録させ、前記ユーザからパスワードを受け取り、前記デジタル記憶媒体上の少なくとも１つの予約されていないデータフィールドに前記パスワードを格納する。少なくとも１つの予約されていないデータフィールドは、前記記録されたデジタル信号の第１の表示シーケンスに含まれる。
【０００９】
本発明のさらに他の態様により、デジタル記録媒体が開示される。一実施形態例によると、デジタル記憶媒体は、複数の予約されたデータフィールドと、複数の予約されていないデータフィールドと、ユーザが記録したデジタル信号の第１の表示シーケンスと、を有する。前記予約されていないデータフィールドの少なくとも１つに前記記録されたデジタル信号のユーザにより割り当てられたパスワードが格納される。前記第１の表示シーケンスは前記予約されていないデータフィールドの前記少なくとも１つを含む。前記記録されたデジタル信号を再生する前に前記ユーザにより割り当てられたパスワードの入力が要求される。
【００１０】
添付した図面を参照して本発明の実施形態の以下の説明を読めば、この発明の上記その他の特徴と利点、及びそれを得る達成するやり方がより明らかとなり、本発明がよりよく理解できるであろう。
【発明を実施するための最良の形態】
【００１１】
ここに示した例は、本発明の好ましい実施形態を示し、いかなるやり方でも本発明の範囲を限定すると解釈してはならない。
【００１２】
図面を参照して、特に図１を参照して、本発明を実施するのに好適なデジタル記録再生装置１００を示すブロック図を示した。例示と説明を目的として、デジタル記録再生装置１００は、デジタルオーディオ及び／またはビデオ信号を記録再生できる記録可能ＤＶＤプレーヤであるが、しかし、本発明には他のタイプのデジタル記録再生装置を使用することもできる。詳しくは後述するが、デジタル記録再生装置１００は、デジタル記録再生装置１００が記録したオーディオ及び／またはビデオ信号を含む信号に、ユーザにパスワードを割り当てさせ、古いデジタル再生装置及び将来のデジタル再生装置とそれぞれバックワードコンパチブル及びフォワードコンパチブルとするパスワード保護機能を含む。
【００１３】
図１に示したように、デジタル記録再生装置１００は、ベースバンドオーディオ及び／またはビデオ入力ブロック１０等の入力手段、チューナ２０等の同調手段、スイッチ３０等の切り換え手段、コントローラ４０等の制御手段、エンコーダ５０等の符号化手段、デコーダ６０等の復号手段、ディスクドライブ７０等のインターフェイス手段を有する。デジタル記録再生装置１００の上記の要素の一部は、集積回路（ＩＣ）を用いて実施されてもよく、幾つかの要素が例えば１つ以上のＩＣに含まれていてもよい。説明を明りょうにするため、図１には、一部の制御信号、パワー信号、及び／またはその他の要素等のデジタル記録再生装置１００に関連する従来の要素は示されていない。図１には、ディスプレイ１１０等の出力手段と、デジタル記憶媒体１２０等のデータ記憶手段も示されている。
【００１４】
ベースバンドＡ／Ｖ入力ブロック１０は、１つ以上の信号源からのベースバンドオーディオ及び／またはビデオ信号を含む信号を受信するように動作する。チューナ２０は、地上波、ケーブル、衛星、インターネット、及び／またはその他の放送源等の１つ以上の信号源からオーディオ及び／またはビデオ信号を含む信号を受信し、受信した信号に同調プロセスを実行してベースバンド信号を発生するように動作する。チューナ２０は、デジタル記録再生装置１００の任意的要素であってもよい。スイッチ３０は、ベースバンドＡ／Ｖ入力ブロック１０またはチューナ２０のいずれかからの出力信号をコントローラ４０に
選択的に提供することにより、切り換え機能を実行する。
【００１５】
コントローラ４０は、デジタル記録再生装置１００のいろいろな信号処理及び制御の機能を実行するように動作する。一実施形態によると、コントローラ４０は、デジタル記録再生装置１００の記録、再生、及びパスワード保護を含む機能を制御及び／またはイネーブル（ｅｎａｂｌｅ）する。したがって、コントローラ４０は、デジタル記録再生装置１００のスイッチ３０、エンコーダ５０、デコーダ６０、及びディスクドライブ７０を含むいろいろな要素を制御する。コントローラ４０については、後でさらに詳細に説明する。
【００１６】
エンコーダ５０は、符号化機能を含む機能を実行する。一実施形態によると、エンコーダ５０は、コントローラ４０から供給された信号を符号化し、ＭＰＥＧ（Ｍｏｖｉｎｇ  Ｐｉｃｔｕｒｅ  Ｅｘｐｅｒｔ  Ｇｒｏｕｐ）符号化及び／またはその他のタイプの符号化を実行できる。デコーダ６０は、復号機能を含む機能を実行する。一実施形態において、デコーダ６０は、コントローラ４０から供給された信号を復号し、ＭＰＥＧ復号及び／またはその他のタイプの復号を実行することができる。デコーダ６０は、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコーダ、ＰＡＬ（Ｐｈａｓｅ  Ａｌｔｅｒｎａｔｉｎｇ  Ｌｉｎｅ）エンコーダ、及び／またはその他のタイプのアナログフォーマットエンコーダであるアナログフォーマット符号化手段も含む。ディスクドライブ７０は、デジタル記録再生装置１００とデジタル記憶媒体１２０の間のインターフェイス機能を含む機能を実行する。一実施形態によると、ディスクドライブ７０は、コントローラ４０の制御の下、デジタル記憶媒体１２０との間でデジタルデータの読み書きをすることができる。ディスクドライブ７０は、デジタル記録再生装置１００とデジタル記憶媒体１２０の間のインターフェイス機能を含む機能を実行する。一実施形態例によると、ディスクドライブ７０は、コントローラ４０の制御下、デジタル記憶媒体１２０に（から）デジタルデータを書き込み（読み出し）をすることができる。
【００１７】
ディスプレイ１１０は、コントローラ４０の制御下において、デコーダ６０からの信号出力に応じてビジュアル表示及び／またはその他の出力をする。デジタル記憶媒体１２０は、オーディオ及び／またはビデオデータを含むデジタルデータを格納する。一実施形態例によると、デジタル記憶媒体１２０は、記録可能ＤＶＤとして実施されるが、他のタイプのデジタル記憶デバイスとして実施してもよい。例えば、ビデオコンパクトディスク（ＶＣＤ）、ハードディスク（ＨＤ）、スタティックＲＡＭ（ｓｔａｔｉｃ  ｒａｎｄｏｍ  ａｃｃｅｓｓ  ｍｅｍｏｒｙ）、またはその他のデバイスである。デジタル記憶媒体１２０に関するさらに詳細は後で説明する。
【００１８】
図２を参照して、本発明の一実施形態例によるパスワード保護を提供する表示（ｐｒｅｓｅｎｔａｔｉｏｎ）シーケンスのステップを示すフローチャート２００を示した。特に、図２は、本発明の原理による、記録可能ＤＶＤプレーヤを用いてパスワード保護を提供する表示シーケンスを示す。ＤＶＤプレーヤの仕様書（例えば、読み出し専用ディスク用ＤＶＤ仕様書、パート３、バージョン１．１３）に説明されているように、１つのＤＶＤ記録物（ｒｅｃｏｒｄｉｎｇ）（すなわち、タイトル）は、複数のリンクされたデータフィールドまたはセルからなる「プログラムチェイン（ｐｒｏｇｒａｍ  ｃｈａｉｎ）」（ＰＧＣ）として表される。例えば、１つのＤＶＤ＋ＲＷ／ＤＶＤ＋ＶＲ記録物（ｒｅｃｏｒｄｉｎｇ）は、通常は単一のＰＧＣ内に含まれる。「表示（ｐｒｅｓｅｎｔａｔｉｏｎ）シーケンス」という用語を用いて、ここで、ＰＧＣまたはその他のタイプの同様のシーケンスを指す。１つのＰＧＣがどのように表示されるかを決めるデータは、「ＰＧＣ情報」（ＰＧＣＩ）と呼ばれる。後でさらに詳しく説明するように、本発明は、ユーザが割り当てた記録物のパスワードを同一のＰＧＣにその記録物自体として格納することにより、ＤＶＤ記録物へのアクセスを制限する。従って、ＤＶＤプレーヤの使用に沿った市販の（すなわち、過去、現在、そして未来の）ＤＶＤプレーヤはすべて、本発明のパスワード保護機能を実施することが必ずできる。
【００１９】
図２に示したように、ＤＶＤプレーヤにおけるＰＧＣの表示（ｐｒｅｓｅｎｔａｔｉｏｎ）は、３つの基本的段階で起こる。すなわち、ステップ２１０、２２０、２３０にそれぞれ示した、プレコマンドの実行、オーディオ及び／またはビデオコンテントの再生、及びポストコマンドの実行である。「コマンド」は、ＤＶＤプレーヤが実行しなければならない一組の内部ＤＶＤ命令である。例えば、ステップ２１０のプレコマンドは正しいオーディオ言語とサブピクチャトラックの選択やＤＶＤ上のメニューまたはタイトルへのジャンプ等の命令を含む。ステップ２３０のポストコマンドは、そのＤＶＤ上の他のメニュー（例えば、メインメニュー）またはタイトルへジャンプする命令を含む。
【００２０】
本発明の原理によると、ユーザ入力のみに基づいて、いかなるＰＧＣ（すなわち、記録物）の再生を許可または禁止するように、ＤＶＤプレーヤ内の利用可能なコマンドの組を記録されたＤＶＤに書き込むことができる。図２に示したように、本発明のパスワード保護機能は、追加的プレコマンドを上述の通常の表示（ｐｒｅｓｅｎｔａｔｉｏｎ）シーケンスに挿入する。これらのプレコマンドは、図２のステップ２４０に示したように、再生をパスワードメニュースクリーンに分岐させる。パスワードメニュースクリーンは、ユーザにパスワード（例えば、英数字列）を入力するよう促す。ＤＶＤに書き込まれて格納されたパスワードと一致するパスワードをユーザが入力すると、ステップ２２０に進み再生が通常通り行われる。あるいは、ユーザが正しいパスワードを入力しないと、ステップ２３０に進みポストコマンドが実行される。例えば、ユーザが正しいパスワードを入力しないと、他の記録物（ｒｅｃｏｒｄｉｎｇ）を選択するようにユーザにメインメニューが提示される。一実施形態例によると、図２に示したステップは、デジタル記録再生装置１００のコントローラ４０の制御下で実行される。
【００２１】
図３を参照して、本発明の一実施形態例による記録物にパスワードを割り当てるステップを示すフローチャート３００が示されている。例示と説明を目的として、図３に示したステップを、図１に示したデジタル記録再生装置１００を参照して説明する。図３のステップは単なる例示であり、いかなるやり方でも本発明を限定するものではない。
【００２２】
ステップ３０５において、ユーザがパスワードで保護する単一の記録物（ｒｅｃｏｒｄｉｎｇ）を選択する。一実施形態によると、選択される記録物は、デジタル記録再生装置１００やその他のデジタル記録装置を用いてユーザが予め作成したものである。すなわち、選択される記録物は、ＤＶＤ−ＲＯＭ等の記憶媒体に格納されていたものではない。デジタル記憶媒体１２０上に格納されている記録物を列挙した、コントローラ４０の制御下でディスプレイ１１０に表示されるオンスクリーンメニューに応答して、ハンドヘルドのリモコン（ｒｅｍｏｔｅ  ｃｏｎｔｒｏｌ  ｄｅｖｉｃｅ）その他（図示せず）であるユーザ入力装置を用いて、ステップ３０５においてユーザが記録物を選択してもよい。記録物は、例えば、オーディオ及び／またはビデオのコンテント（ａｕｄｉｏ  ａｎｄ／ｏｒ  ｖｉｄｅｏ  ｐｒｅｓｅｎｔａｔｉｏｎｓ）（例えば、映画、テレビ番組、その他）であっても、デジタル記録再生装置１００及び／またはその他のデジタル記録装置を用いてデジタル記録媒体１２０上にユーザが記録したその他のコンテントであってもよい。
【００２３】
ステップ３１０において、ユーザは、選択された記録物のパスワードを設定または変更する機会を有する。一実施形態において、このオプションは、コントローラ４０の制御下でディスプレイ１１０上に表示されるオンスクリーンメニューを介してユーザに提供されてもよい。ステップ３１０でパスワードを設定または変更しないとユーザが決めると、ステップ３１５に進み、プロセス３００は終了する。
【００２４】
あるいは、ステップ３１０でパスワードを設定または変更するとユーザが決めると、ステップ３２０に進み、選択された記録物に対してパスワードがすでにあるかどうか判断する。一実施形態において、コントローラ４０は、ディスクドライブ７０にデジタル記憶媒体１２０上の選択された記録物のＰＧＣからデータを読み出させることにより、ステップ３２０の判断をする。後で説明するように、記録物に対してユーザが割り当てたパスワードは、その記録物自体として、同じＰＧＣに格納される。
【００２５】
ステップ３２０の判断の結果がＹＥＳの場合、ステップ３２５に進み、ユーザは選択された記録物（ｒｅｃｏｒｄｉｎｇ）に対する新旧のパスワードを両方とも入力するよう促される（ｐｒｏｍｐｔｅｄ）。一実施形態において、コントローラ４０の制御下でディスプレイ１１０上に表示されたオンスクリーンメニューを介して、ユーザはステップ３２５において新旧のパスワードを入力するように促される。ステップ３２５における新旧パスワードは、例えば、ハンドヘルドのリモコンまたはその他の入力装置（図示せず）であるユーザ入力装置を介してユーザがデジタル記録再生装置１００に入力してもよい。図３には明示的には示していないが、ステップ３２５においてユーザが正しい旧パスワードを入力できる回数は制限してもよい。ユーザが制限回数内に正しい旧パスワードを入力しないと、プロセス３００は終了する。例示と説明を目的として、ここではステップ３２５においてユーザが正しい旧パスワードを入力したと仮定する。ステップ３２５からステップ３３５に進み、後で説明するように新しいパスワードをデジタル記憶媒体１２０に保存する。
【００２６】
あるいは、ステップ３２０における判断の結果がＮＯの場合、ステップ３３０に進み、新しいパスワードのみを入力するようにユーザに促す（ｐｒｏｍｐｔｅｄ）。一実施形態において、ステップ３３０において、コントローラ４０の制御下でディスプレイ１１０上に表示されるオンスクリーンメニューを介してユーザに新しいパスワードを入力するように促す。ユーザは、ハンドヘルドのリモコンまたはその他のユーザ入力装置（図示せず）であるユーザ入力装置を介してデジタル記録再生装置１００に入力することによって、ステップ３３０で新しいパスワードを入力してもよい。
【００２７】
ステップ３３０からステップ３３５に進み、新しいパスワードを保存する。一実施形態において、その新しいパスワードは、選択された記録物として、同じＰＧＣに含まれるデジタル記録媒体１２０上の１つ以上の予約されていないデータフィールドに格納される。予約されていないデータフィールドは、ＤＶＤ等の記憶媒体の仕様において特定の機能を指定されていないデータフィールドである。特に、パスワードは、与えられたＰＧＣのナビゲーションプレコマンド（ｎａｖｉｇａｔｉｏｎ  ｐｒｅ  ｃｏｍｍａｎｄｓ）中にステップ３３５において格納される。留意すべきことは、デジタル記憶媒体１２０は、複数の予約されたデータフィールドと、複数の予約されていないデータフィールドを含むことである。ここで述べたように、「要約されたデータフィールド」は、与えられた標準または仕様書（例えば、ＤＶＤ仕様書等）の将来のバージョンのために予約されているデータフィールドである。予約されたデータフィールドには、例えば指定データ（例えば、全ビットが０等）が含まれている。ユーザが割り当てたパスワードを、選択された記録物として、同じＰＧＣに含まれるデジタル記録媒体１２０上の１つ以上の予約されていないデータフィールドに格納することにより、本発明は有利にも、パスワード保護機能が古いデジタル再生装置及び将来のデジタル再生装置とそれぞれバックワードコンパチブル及びフォワードコンパチブルであるようにすることができる。
【００２８】
ステップ３４０において、パスワードメニュースクリーンとパスワードメニュー処理コマンドを生成する。一実施形態において、コントローラ４０は、パスワードメニュースクリーンを表すビデオオブジェクトセット（ｖｉｄｅｏ  ｏｂｊｅｃｔ  ｓｅｔｓ）（ＶＯＢｓ）を生成し、そのＶＯＢｓを別のＰＧＣとしてディスクドライブ７０を介してデジタル記憶媒体１２０上に格納させることにより、ステップ３４０においてパスワードメニュースクリーンを生成する。すなわち、ステップ３４０で生成されるパスワードメニュースクリーンは、選択された記録物のＰＧＣとは異なるＰＧＣとして格納されてもよい。あるいは、ステップ３４０で生成されたパスワードメニュースクリーンは、選択された記録物と同じＰＧＣに格納することもできる。また、一実施形態において、コントローラ４０は、ステップ３４０においてパスワードメニュー処理コマンドを生成して、ディスクドライブ７０を介してデジタル記憶媒体１２０上に格納してもよい。パスワードメニュー処理コマンドは、図２を参照して前述したように、ＤＶＤプレーヤ等のデジタル再生装置に、ユーザ入力パスワードを選択された記録物の格納されたパスワードと比較させ、ユーザ入力パスワードが格納されたパスワードと一致するかどうかに応じて選択された記録物の再生を許可させるか、または許可させない。
【００２９】
ステップ３４５において、コマンドが挿入され、再生がステップ３４０において、生成されたパスワードメニュースクリーンにリダイレクト（ｒｅｄｉｒｅｃｔ）される。一実施形態においてにおいて、コントローラ４０は、選択された記録物のＰＧＣのプレコマンドテーブル（ｐｒｅ  ｃｏｍｍａｎｄ  ｔａｂｌｅ）にプレコマンドを挿入する。例えば、コントローラ４０は、サブピクチャ設定を設定するためのレジスタを設定するため、第１のプレコマンドを挿入し、デジタル記録再生装置１００にパスワードメニュースクリーンのＰＧＣにジャンプさせる第２のプレコマンド（例えば、ＤＶＤ仕様書のＣａｌｌＳＳコマンド等）も挿入する。これらの新しいプレコマンドにより、ユーザが選択された記録物の再生をしようとするときはいつも、ステップ３４０で生成されたパスワードメニュースクリーンが自動的に表示される。
【００３０】
ステップ３５０において、選択された記録物はこの時点でパスワードにより保護されている。このパスワード保護の結果として、再生する前に、選択された記録物に対してユーザが割り当てたパスワードを入力しなければならない。図３に示したステップが、ユーザがパスワード保護をかけたいと望むデジタル記憶媒体１２０の各記録物に対して繰り返される。
【００３１】
ここで説明したように、本発明は、ユーザが自分のデジタル記録装置（例えば、記録可能ＤＶＤプレーヤ）を用いて記録した記録物をパスワード保護でき、古いデジタル再生装置及び将来のデジタル再生装置とそれぞれバックワードコンパチブル及びフォワードコンパチブルであるパスワード保護機能を提供する。
【００３２】
この発明を好ましい設計があるものとして説明したが、本発明はこの開示の精神と範囲内でさらに修正することができる。この出願は、本発明の一般的な原理を用いて本発明のいかなる変形、使用、適応もカバーすることを意図している。さらに、この出願は、本発明が属する技術分野で周知慣用されている、添付した請求項の限定内に入る本開示との差異をカバーすることを意図している。
【図面の簡単な説明】
【００３３】
【図１】本発明の実施に好適なデジタル記録再生装置を示すブロック図である。
【図２】本発明の実施形態例によるパスワード保護を提供する表示シーケンス（ｐｒｅｓｅｎｔａｔｉｏｎ  ｓｅｑｕｅｎｃｅ）のステップを示すフローチャートである。
【図３】本発明の実施形態例による記録物にパスワードを割り当てるステップを示すステップを示すフローチャートである。
【図１】
2007516552.tif 000003
【図２】
2007516552.tif 000004
【図３】
2007516552.tif 000005
【国際調査報告】
2007516552.tif 000006
2007516552.tif 000007
2007516552.tif 000008